(57)【要約】【課題】ＵＧＣを閲覧する閲覧者の嗜好を簡単に調査することができるＵＧＣ管理装置、ＵＧＣ管理システムおよび閲覧者の嗜好調査方法を提供すること。【解決手段】ＳＮＳ管理システム１０は、ＵＧＣを作成する場であるソーシャルネットワーキングサービス（ＳＮＳ）を提供するＳＮＳサーバ１００と、ＳＮＳサーバ１００から提供されたＳＮＳ内でユーザがＵＧＣを作成可能なクライアント端末２００と、ニュースなどの情報を提供するニュースサーバ３００と、ＵＧＣを作成する場であるブログサービスを提供するブログサーバ４００と、がインターネット２０を介して接続されている。【選択図】図１
2010039845.tif 000002
【特許請求の範囲】
【請求項１】
ネットワークを介して接続されたクライアント端末に対して、ユーザ作成コンテンツの作成および閲覧が可能なサービスを提供するユーザ作成コンテンツ管理装置であって、
前記クライアント端末で前記サービスを利用するユーザによって作成されたユーザ作成コンテンツを記憶するユーザ作成コンテンツ記憶手段と、
前記クライアント端末からの要求に応じて前記ユーザ作成コンテンツの前記ユーザ作成コンテンツ記憶手段に対する書込処理または読出処理を行うとともに、前記ユーザ作成コンテンツ内に貼り付けられたリンク部分を検出し、このリンク部分に対するアクセス要求を自装置に送信させるためのコードを前記リンク部分に挿入するユーザ作成コンテンツ処理手段と、
前記ユーザ作成コンテンツ記憶手段に記憶された前記ユーザ作成コンテンツに基づいて前記リンク部分を含むユーザ作成コンテンツページを作成し、このユーザ作成コンテンツページを前記クライアント端末に送信するページ送信手段と、
前記コードに基づいて自装置に送信された前記リンク部分への閲覧者による前記アクセス要求を受信するとともに、前記リンク部分が示すリンク先へアクセスさせるための転送処理を行う転送処理手段と、
前記アクセス要求を集計する集計処理手段と、
前記集計処理手段による集計結果を表示させた集計結果ページを前記クライアント端末に送信する集計結果送信手段と、を具備した
ことを特徴とするユーザ作成コンテンツ管理装置。
【請求項２】
請求項１に記載のユーザ作成コンテンツ管理装置において、
前記ユーザ作成コンテンツ記憶手段は、
前記閲覧者による前記リンク部分へのアクセス要求を前記リンク部分に関連するリンク情報ごとにアクセスログとして記憶するアクセスログ記憶手段を備え、
前記ユーザ作成コンテンツ処理手段は、
前記アクセス要求を受信するたびに前記アクセスログを前記アクセスログ記憶手段に記憶させ、
前記集計処理手段は、
前記アクセスログ記憶手段に記憶された前記アクセスログに基づいて前記閲覧者による前記リンク部分への前記アクセス要求を集計する
ことを特徴とするユーザ作成コンテンツ管理装置。
【請求項３】
請求項２に記載のユーザ作成コンテンツ管理装置において、
前記リンク情報は、前記リンク部分が示すリンク先のウェブページのタイトル情報を含み、
前記集計処理手段は、前記タイトル情報ごとに前記アクセス要求を集計する
ことを特徴とするユーザ作成コンテンツ管理装置。
【請求項４】
請求項１から請求項３のいずれかに記載のユーザ作成コンテンツ管理装置において、
前記ユーザの属性情報をユーザごとに記憶するユーザ情報記憶手段をさらに備え、
前記集計処理手段は、
前記ユーザ情報記憶手段に記憶された前記閲覧者に対応する前記属性情報に基づいて前記アクセス要求を集計する
ことを特徴とするユーザ作成コンテンツ管理装置。
【請求項５】
請求項１から請求項４のいずれかに記載のユーザ作成コンテンツ管理装置において、
前記ユーザと前記閲覧者との間の友人関係に関する情報が記憶された友人関係記憶手段を備え、
前記集計処理手段は、
前記友人関係記憶手段に記憶された前記友人関係に関する情報に基づいて、前記ユーザと友人関係を有する前記閲覧者の前記アクセス要求を集計する
ことを特徴とするユーザ作成コンテンツ管理装置。
【請求項６】
請求項１から請求項５のいずれかに記載のユーザ作成コンテンツ管理装置において、
前記リンク部分のリンク先のウェブページの内容が分類されるカテゴリとこのカテゴリを表すキーワードとを関連付けて記憶するカテゴリ分類記憶手段と、
前記リンク部分のリンク先のウェブページの内容を特徴づけるキーワードに基づいて、前記カテゴリ分類記憶手段から前記リンク部分のリンク先の内容のカテゴリを判定するカテゴリ判定手段と、を備え、
前記集計処理手段は、前記カテゴリごとに前記アクセス要求を集計する
ことを特徴とするユーザ作成コンテンツ管理装置。
【請求項７】
請求項１から請求項６のいずれかに記載のユーザ作成コンテンツ管理装置と、
前記ユーザ作成コンテンツ管理装置が提供するサービスを利用してユーザ作成コンテンツの作成および閲覧が可能な複数のクライアント端末と、
前記ユーザ作成コンテンツ内に貼り付けられたリンク部分のリンク先のウェブサイトを提供する情報提供サーバと、を具備したことを特徴とするユーザ作成コンテンツ管理システム。
【請求項８】
ネットワークを介して接続されたクライアント端末に対してユーザ作成コンテンツの作成および閲覧が可能なサービスを提供し、前記クライアント端末で前記サービスを利用するユーザによって作成されたユーザ作成コンテンツに関する情報と前記ユーザ作成コンテンツ内に貼り付けられたリンク部分ごとのリンク情報とを記憶するユーザ作成コンテンツ記憶手段と、閲覧者による前記リンク部分へのアクセス要求を前記リンク部分に関連するリンク情報ごとにアクセスログとして記憶するアクセスログ記憶手段と、を備えたユーザ作成コンテンツ管理装置による閲覧者の嗜好調査方法であって、
前記ユーザ作成コンテンツに関する情報と前記リンク情報とを前記ユーザ作成コンテンツ記憶手段に記憶させるステップと、
前記ユーザ作成コンテンツ記憶手段から取得したリンク情報に基づいて自装置へのアクセス要求を送信させるためのコードを前記リンク部分に挿入するステップと、
前記ユーザ作成コンテンツ記憶手段から取得した前記ユーザ作成コンテンツに関する情報と前記コードが挿入された前記リンク部分に基づいて作成したユーザ作成コンテンツページをクライアント端末に送信するステップと、
前記リンク部分にアクセスした前記閲覧者によるアクセス要求をアクセスログとして前記アクセスログ記憶手段に記憶させるステップと、
前記アクセスログ記憶手段に記憶された前記アクセスログに基づいて前記リンク部分への閲覧者によるアクセス要求を集計するステップと、
前記集計による結果を集計結果ページとして前記クライアント端末に送信するステップと、を実施することを特徴とする閲覧者の嗜好調査方法。
【発明の詳細な説明】
【技術分野】
【０００１】
本発明は、ネットワークを介して接続されたクライアント端末にユーザ作成コンテンツ（ＵＧＣ：Ｕｓｅｒ−Ｇｅｎｅｒａｔｅｄ  Ｃｏｎｔｅｎｔ）サービスを提供するユーザ作成コンテンツ管理装置、ユーザ作成コンテンツ管理システムおよび閲覧者の嗜好調査方法に関する。
【背景技術】
【０００２】
従来、ユーザが日記やプロフィール等のＵＧＣを作成し、インターネットなどのネットワーク上に公開するサービスが知られている。
このようなＵＧＣを提供するサービスとして、例えば、友人・知人間のコミュニケーションを促進するコミュニティ型の会員制サービスであるソーシャルネットワーキングサービス（ＳＮＳ：Ｓｏｃｉａｌ  Ｎｅｔｗｏｒｋｉｎｇ  Ｓｅｒｖｉｃｅ）やブログサービスがある。これらのサービスでは、自分の日記やプロフィール等を作成してインターネット上に公開でき、それらの内容を閲覧した他人とその内容についてコミュニケーションをとる手段や場が提供される。すなわち、ネットワークサービスは新たな人間関係を構築する場を提供するサービスである。
【０００３】
また、ユーザがＵＧＣを作成する場合、それを他のユーザに閲覧してもらえることがモチベーションの向上につながる。そこで、他のユーザに閲覧してもらうには、ユーザが興味のある内容でＵＧＣを作成することが有効である。
【０００４】
特許文献１には、既存メンバからの紹介により新規メンバが参加可能なネットワークサービスが記載されている。このネットワークサービスにおいては、既存メンバと新規メンバには何らかの共通点があるという観点から、新規メンバに対して紹介者の趣味や属性に一致した広告を配信している。
【０００５】
【特許文献１】特開２００７−１７８７７６号公報
【発明の開示】
【発明が解決しようとする課題】
【０００６】
しかしながら、特許文献１では、新規メンバの趣味や興味に応じた広告を配信する方法として、新規メンバやその紹介者の趣味や属性等（嗜好）を参照しなければならず、処理が煩雑であるという問題があった。
【０００７】
本発明の目的は、ユーザ作成コンテンツを閲覧する閲覧者の嗜好を簡単に調査することができるユーザ作成コンテンツ管理装置、ユーザ作成コンテンツ管理システムおよび閲覧者の嗜好調査方法を提供することである。
【課題を解決するための手段】
【０００８】
本発明のユーザ作成コンテンツ管理装置は、ネットワークを介して接続されたクライアント端末に対して、ユーザ作成コンテンツの作成および閲覧が可能なサービスを提供するユーザ作成コンテンツ管理装置であって、前記クライアント端末で前記サービスを利用するユーザによって作成されたユーザ作成コンテンツを記憶するユーザ作成コンテンツ記憶手段と、前記クライアント端末からの要求に応じて前記ユーザ作成コンテンツの前記ユーザ作成コンテンツ記憶手段に対する書込処理または読出処理を行うとともに、前記ユーザ作成コンテンツ内に貼り付けられたリンク部分を検出し、このリンク部分に対するアクセス要求を自装置に送信させるためのコードを前記リンク部分に挿入するユーザ作成コンテンツ処理手段と、前記ユーザ作成コンテンツ記憶手段に記憶された前記ユーザ作成コンテンツに基づいて前記リンク部分を含むユーザ作成コンテンツページを作成し、このユーザ作成コンテンツページを前記クライアント端末に送信するページ送信手段と、前記コードに基づいて自装置に送信された前記リンク部分への閲覧者による前記アクセス要求を受信するとともに、前記リンク部分が示すリンク先へアクセスさせるための転送処理を行う転送処理手段と、前記アクセス要求を集計する集計処理手段と、前記集計処理手段による集計結果を表示させた集計結果ページを前記クライアント端末に送信する集計結果送信手段と、を具備したことを特徴とする。
【０００９】
ここで、ユーザ作成コンテンツ（ＵＧＣ：Ｕｓｅｒ−Ｇｅｎｅｒａｔｅｄ  Ｃｏｎｔｅｎｔ）とは、一般のユーザによって作成された様々なコンテンツの総称であり、サービス提供会社から提供されたネットワークサービスなどに書き込まれた文章や、アップロードされた画像・写真・音声・動画・アニメーションなどのコンテンツをいう。
このようなサービスとしては、例えば、ソーシャルネットワーキングサービス（Ｓｏｃｉａｌ  Ｎｅｔｗｏｒｋｉｎｇ  Ｓｅｒｖｉｃｅ：ＳＮＳ）やブログサービスなどがある。一般には、それぞれのサービスにユーザ登録することによりそのユーザ専用の情報表示領域を与えられ、情報表示領域内に文章などを書き込んだり、写真、画像、動画等をアップロードすることができる。具体的なコンテンツとしては、プロフィール、コメント、日記、アルバム等が挙げられる。
なお、本発明では、ユーザがＵＧＣを作成可能であればよいので、ユーザ登録はしなくてもよい。
【００１０】
ユーザはクライアント端末を操作してＵＧＣ管理装置が提供するサービスにアクセスし、例えば、ログインすることでユーザ専用のページを開き、プロフィール、コメント、日記等のＵＧＣを作成することができる。
ＵＧＣ管理装置は、クライアント端末でウェブページへのリンクが挿入されて作成されたこれらのＵＧＣに対して、ユーザ作成コンテンツ受付手段、ユーザ作成コンテンツ記憶手段、ページ送信手段、集計処理手段および集計結果送信手段により、閲覧者のリンク部分へのアクセス状況を集計し、集計結果をネットワークを介して接続されたクライアント端末に送信するものである。
【００１１】
ユーザ作成コンテンツ記憶手段は、ＵＧＣの種類ごとにＵＧＣに関する情報を記憶する。例えば、ＵＧＣとしてプロフィールと日記がある場合、それぞれの内容がそれぞれのＵＧＣ記憶手段に記憶される。
ユーザ作成コンテンツ処理手段は、クライアント端末からの要求に応じてＵＧＣをユーザ作成コンテンツ記憶手段に書き込んだり読み出したりする。また、ＵＧＣ内に貼り付けられたリンク部分を検出し、このリンク部分にコードを挿入する。コードは、リンク部分にアクセスされた場合に自装置にアクセス要求を送信できるものであればよく、例えば、自装置にアクセスするためのＵＲＬ（Ｕｎｉｆｏｒｍ  Ｒｅｓｏｕｒｃｅ  Ｌｏｃａｔｏｒ）が用いられる。なお、コードの挿入は、ユーザ作成コンテンツ記憶手段からＵＧＣに関する情報を読み出した後にリンク部分に挿入されてもよいし、コードをリンク部分に挿入した状態でユーザ作成コンテンツ記憶手段に記憶させてもよい。
【００１２】
ページ送信手段は、ユーザ作成コンテンツ記憶手段に記憶されたＵＧＣ情報に基づいてウェブページへのアクセス可能なリンク部分を含むユーザ作成コンテンツページを作成し、このユーザ作成コンテンツページをクライアント端末に送信する。
転送処理手段は、閲覧者によるリンク部分へのアクセスがあった場合に機能する。リンク部分には、自装置へアクセス要求を送信するためのコードが挿入されているため、閲覧者がリンク部分を選択すると、このコードに基づいて、クライアント端末から自装置へアクセス要求が送信される。転送処理手段はこのアクセス要求を受信するとともに、リンク部分が示すリンク先のＵＲＬをクライアント端末へ送信する（リダイレクト処理）。
【００１３】
集計処理手段は、転送処理手段でアクセス要求が受信されると、ＵＧＣ内に挿入されたリンク部分へのアクセス数を集計する。具体的には、各リンク部分への総アクセス数、１０００回表示あたりのアクセス数を示すクリック率などを集計する。
集計結果送信手段は、集計処理手段によって集計された内容に基づいて集計結果ページを作成し、この集計結果ページをクライアント端末に送信する。集計結果の表示方法としては、例えば、表やグラフなどが挙げられる。
【００１４】
この発明では、ユーザ作成コンテンツ処理手段が、クライアント端末で作成されたＵＧＣ情報をユーザ作成コンテンツ記憶手段に記憶させる。また、クライアント端末からの要求に応じてユーザ作成コンテンツ記憶手段から該当するＵＧＣ情報を取得する。このとき、ユーザ作成コンテンツ処理手段は、ＵＧＣ情報であるリンク部分にコード、例えば自装置にアクセスするためのＵＲＬ、を挿入する。そして、ページ送信手段が、これらのＵＧＣ情報に基づいてユーザ作成コンテンツページを作成し、クライアント端末に送信する。
クライアント端末では、ユーザ作成コンテンツページを閲覧可能に画像表示され、閲覧者はユーザ作成コンテンツページを閲覧することができる。そして、閲覧者は、ユーザ作成コンテンツ内に貼り付けられたリンク部分にアクセスする。閲覧者によりリンク部分にアクセスされると、リンク部分に埋め込まれたコードに基づいて、クライアント端末から自装置へアクセス要求が送信される。転送処理手段は、このアクセス要求を受信するとともに、リンク部分のリンク先のＵＲＬをクライアント端末に送信する。
集計処理手段は、転送処理手段でアクセス要求が受信されると、該当するリンク部分へのアクセス数やクリック率などを集計する。そして、集計結果送信手段によりこれらの集計結果が集計結果ページとしてクライアント端末に配信される。
【００１５】
したがって、ユーザは、自分が作成したＵＧＣ内に貼り付けたリンク部分に対するアクセス状況を把握することができ、閲覧者の興味や嗜好を分析することができる。そして、これらの分析結果に基づいて、閲覧者の興味を引く内容のＵＧＣを作成することができ、ユーザのＵＧＣ作成に対するモチベーションが向上する。すなわち、閲覧者の閲覧回数も多くなるとともにＵＧＣの更新頻度も高まり、ウェブサイトの活性化を図ることができる。
【００１６】
本発明のユーザ作成コンテンツ管理装置において、前記ユーザ作成コンテンツ記憶手段は、前記閲覧者による前記リンク部分へのアクセス要求を前記リンク部分に関連するリンク情報ごとにアクセスログとして記憶するアクセスログ記憶手段を備え、前記ユーザ作成コンテンツ処理手段は、前記アクセス要求を受信するたびに前記アクセスログを前記アクセスログ記憶手段に記憶させ、前記集計処理手段は、前記アクセスログ記憶手段に記憶された前記アクセスログに基づいて前記閲覧者による前記リンク部分への前記アクセス要求を集計することが好ましい。
【００１７】
ユーザ作成コンテンツ記憶手段は、ＵＧＣ情報とともに、各ＵＧＣ内に貼り付けられたリンク部分ごとのリンク情報を記憶するとともに、各リンク部分にアクセスした閲覧者のアクセスログがアクセスごとに記憶されるアクセスログ記憶手段を備えている。アクセスログとしては、例えばリンク情報、ユーザごとに日時等が記憶される。
【００１８】
この発明では、閲覧者によるリンク部分へのアクセスがあるたびに、ユーザ作成コンテンツ処理手段が、ＵＧＣ内に貼り付けられたリンク部分に関連するリンク情報と閲覧者の情報および日時をアクセスログとしてアクセスログ記憶手段に記憶させる。
集計処理手段は、アクセスログ記憶手段に記憶されたアクセスログに基づいて、各リンク部分にアクセスした閲覧者の人数やクリック率などを集計する。
【００１９】
このように、集計処理手段は、アクセスログ記憶手段に蓄積されたアクセスログに基づいて、各リンク部分に対するアクセス数を集計することができる。また、アクセスログとして様々な情報を記憶させることにより、様々な条件で集計することもできる。
例えば、リンク部分に関するリンク情報としてはリンク先のウェブページに関する情報が挙げられ、閲覧者情報としては、年齢、性別などの属性が挙げられる。このようなリンク情報および閲覧者情報により、各リンク部分にアクセスした閲覧者の嗜好、年齢層、性別ごとの集計を行うことができる。
したがって、様々な集計結果を提供することができるので、ユーザは閲覧者の興味や嗜好をより詳細に分析することができ、閲覧者の興味や嗜好に合ったＵＧＣを作成することができる。閲覧者の閲覧回数も多くなるので、ユーザのモチベーションも向上し、ＵＧＣの更新頻度も高まり、ウェブサイトの活性化を図ることができる。
【００２０】
本発明のユーザ作成コンテンツ管理装置において、前記リンク情報は、前記リンク部分が示すリンク先のウェブページのタイトル情報を含み、前記集計処理手段は、前記タイトル情報ごとに前記アクセス要求を集計することが好ましい。
【００２１】
この発明では、リンク情報としてリンク部分が示すリンク先のウェブページに掲載されているコンテンツのタイトル情報を含んでいる。
したがって、集計処理手段は、タイトル情報ごとの集計を行うことができるので、閲覧者の嗜好の傾向を把握しやすい集計結果を得ることができる。
【００２２】
本発明のユーザ作成コンテンツ管理装置において、前記ユーザの属性情報をユーザごとに記憶するユーザ情報記憶手段をさらに備え、前記集計処理手段は、前記ユーザ情報記憶手段に記憶された前記閲覧者に対応する前記属性情報に基づいて前記アクセス要求を集計することが好ましい。
【００２３】
ユーザ情報記憶手段には、ユーザ作成コンテンツ管理装置が提供するサービスを利用するユーザに関する情報が記憶される。ユーザに関する情報としては、例えば、名前、ニックネーム、年齢、性別、趣味等が挙げられる。
したがって、ユーザ作成コンテンツを作成したユーザやそれを閲覧する閲覧者の属性情報が記憶されているため、集計処理手段は、ユーザ情報データベースから閲覧者の属性情報を簡単に取得することができ、閲覧者の属性情報に基づいて、アクセスログ記憶手段に記憶されているアクセスログをより詳細かつ簡単に集計することができる。具体的には、年齢または年代ごとの集計、性別ごとの集計等を行うことができる。
【００２４】
本発明のユーザ作成コンテンツ管理装置において、前記ユーザと前記閲覧者との間の友人関係に関する情報が記憶された友人関係記憶手段を備え、前記集計処理手段は、前記友人関係記憶手段に記憶された前記友人関係に関する情報に基づいて、前記ユーザと友人関係を有する前記閲覧者の前記アクセス要求を集計することが好ましい。
【００２５】
この発明では、ユーザ作成コンテンツを作成したユーザとそれを閲覧する閲覧者との間に友人関係を設定することができる。例えば、ユーザの友人関係記憶手段にその閲覧者を記憶させることにより友人関係を成立させる。ここで記憶させる閲覧者の情報としては、例えば、閲覧者の年齢や性別等の属性、閲覧者の趣味等の属性情報である。
このように、ユーザが作成したＵＧＣを閲覧する閲覧者が、友人関係記憶手段に該ユーザの友人として記憶されているため、その閲覧者の属性情報を取得することができる。したがって、集計処理手段は、友人である閲覧者の属性情報に基づいた集計を行うことができ、より詳細な集計結果を得ることができる。その結果、ユーザはこの集計結果に基づいて、より閲覧者が興味を引く内容のＵＧＣを作成することができる。
【００２６】
本発明のユーザ作成コンテンツ管理装置において、前記リンク部分のリンク先のウェブページの内容が分類されるカテゴリとこのカテゴリを表すキーワードとを関連付けて記憶するカテゴリ分類記憶手段と、前記リンク部分のリンク先のウェブページの内容を特徴づけるキーワードに基づいて、前記カテゴリ分類記憶手段から前記リンク部分のリンク先の内容のカテゴリを判定するカテゴリ判定手段と、を備え、前記集計処理手段は、前記カテゴリごとに前記アクセス要求を集計することが好ましい。
【００２７】
カテゴリ分類記憶手段には、カテゴリとそのカテゴリを表すキーワードとが関連付けられて予め記憶されている。なお、必要に応じて新しいカテゴリや新しいキーワードを適宜追加することもできる。
カテゴリ判定手段は、ＵＧＣ内に貼り付けられたリンク部分のリンク先のウェブページにアクセスし、そのウェブページ内のコンテンツを解析する。そして、コンテンツを特徴付けるキーワードを抽出し、そのキーワードとカテゴリ分類記憶手段に記憶されているキーワードとを対応付けて、そのコンテンツのカテゴリを判定する。なお、リンク先のウェブページ内のコンテンツを解析する方法としては、例えば、固有名詞を抽出してキーワードとすることができる。そして、判定されたカテゴリは、ＵＧＣ記憶手段にリンク情報とともに登録される。集計処理手段は、このカテゴリに基づいて集計を行うことができる。
【００２８】
このように、集計処理手段は、リンク部分ごとに判定したカテゴリに基づいて集計を行うことができる。カテゴリごとに集計された集計結果は、ユーザにとってもアクセス状況を把握しやすいものとなり、分析しやすい集計結果を得ることができる。特に、ＵＧＣ内に多数のリンク部分が存在する場合には、カテゴリごとの集計結果を得ることにより、閲覧者のアクセス状況を容易に把握することができる。
【００２９】
本発明のユーザ作成コンテンツ管理システムは、前述のユーザ作成コンテンツ管理装置と、前記ユーザ作成コンテンツ管理装置が提供するサービスを利用してユーザ作成コンテンツの作成および閲覧が可能な複数のクライアント端末と、前記ユーザ作成コンテンツ内に貼り付けられたリンク部分のリンク先のウェブサイトを提供する情報提供サーバと、を具備したことを特徴とする。
【００３０】
この発明によれば、ネットワークを介して接続されたクライアント端末、ユーザ作成コンテンツ管理装置、および情報提供サーバが協働することにより、前述と同様の作用効果を奏することができる。
具体的には、ユーザはクライアント端末を操作してユーザ作成コンテンツ管理装置が提供するサービスを利用してプロフィールや日記等のＵＧＣを作成する。ＵＧＣ内にはリンク部分が貼り付けられ、リンク部分は情報提供サーバが提供するニュースなどのウェブサイトにリンクされる。そして、リンク部分およびリンク先の情報はユーザ作成コンテンツ管理装置に記憶され、閲覧者がリンク部分にアクセスするたびにアクセスログが記憶される。ユーザ作成コンテンツ管理装置では、前述の集計処理手段によりアクセスログを集計して集計結果ページとしてクライアント端末に送信する。
【００３１】
したがって、ユーザはクライアント端末で集計結果ページを確認することができ、リンク部分に対する閲覧者のアクセス状況を把握することができる。すなわち、閲覧者の興味や嗜好を分析してＵＧＣ作成の指標とすることができ、ＵＧＣ作成に対するモチベーションの向上を図ることができる。その結果、閲覧者の閲覧回数も増え、サイトの活性化を図ることができる。
【００３２】
本発明の閲覧者の嗜好調査方法は、ネットワークを介して接続されたクライアント端末に対してユーザ作成コンテンツの作成および閲覧が可能なサービスを提供し、前記クライアント端末で前記サービスを利用するユーザによって作成されたユーザ作成コンテンツに関する情報と前記ユーザ作成コンテンツ内に貼り付けられたリンク部分ごとのリンク情報とを記憶するユーザ作成コンテンツ記憶手段と、閲覧者による前記リンク部分へのアクセス要求を前記リンク部分に関連するリンク情報ごとにアクセスログとして記憶するアクセスログ記憶手段と、を備えたユーザ作成コンテンツ管理装置による閲覧者の嗜好調査方法であって、前記ユーザ作成コンテンツに関する情報と前記リンク情報とを前記ユーザ作成コンテンツ記憶手段に記憶させるステップと、前記ユーザ作成コンテンツ記憶手段から取得したリンク情報に基づいて自装置へのアクセス要求を送信させるためのコードを前記リンク部分に挿入するステップと、前記ユーザ作成コンテンツ記憶手段から取得した前記ユーザ作成コンテンツに関する情報と前記コードが挿入された前記リンク部分に基づいて作成したユーザ作成コンテンツページをクライアント端末に送信するステップと、前記リンク部分にアクセスした前記閲覧者によるアクセス要求をアクセスログとして前記アクセスログ記憶手段に記憶させるステップと、前記アクセスログ記憶手段に記憶された前記アクセスログに基づいて前記リンク部分への閲覧者によるアクセス要求を集計するステップと、前記集計による結果を集計結果ページとして前記クライアント端末に送信するステップと、を実施することを特徴とする。
【００３３】
この発明によれば、ユーザによって作成されたＵＧＣ内に貼り付けられたリンク部分へのアクセスに対するアクセスログを記憶させ、このアクセスログを集計することによって閲覧者の嗜好を調査することができる。
したがって、ＵＧＣの作成者は、この集計結果に基づいて閲覧者の興味や嗜好を分析し、ＵＧＣ作成の指標とすることができる。すなわち、ＵＧＣ作成に対するモチベーションの向上を図ることができる。また、閲覧者の閲覧回数も増え、ＳＮＳサイトの活性化を図ることができる。
【発明を実施するための最良の形態】
【００３４】
以下、本発明の実施形態を図面に基づいて説明する。
本実施形態では、ユーザ作成コンテンツ管理システムとして、ソーシャルネットワーキングサービス（ＳＮＳ）を利用できるＳＮＳ管理システムを例示して説明する。
［ＳＮＳ管理システムの構成の概略］
図１は、本発明の実施形態にかかるＳＮＳサーバを含むＳＮＳ管理システムの構成の概略を示す図である。
図１に示すように、ＳＮＳ管理システム１０は、ＵＧＣを作成する場であるソーシャルネットワーキングサービス（ＳＮＳ）を提供するＳＮＳサーバ１００と、ＳＮＳサーバ１００から提供されたＳＮＳを利用してＵＧＣを作成可能なクライアント端末２００と、ニュースなどの情報提供サイトを配信するニュースサーバ３００と、ＵＧＣを作成する場であるブログサービスを提供するブログサーバ４００と、がインターネット２０を介して接続されている。
ＳＮＳサーバ１００とブログサーバ４００は本発明のユーザ作成コンテンツ管理装置としてＵＧＣを作成可能なサービスを提供する。本実施形態では、ＳＮＳサーバ１００とクライアント端末２００とニュースサーバ３００について詳述する。
【００３５】
インターネット２０はＴＣＰ／ＩＰなどの汎用のプロトコルに基づくインターネットであるが、これに限られない。例えば、ＬＡＮ（Local Area Network）などのイントラネット、無線媒体により情報が送受信可能な複数の基地局がネットワークを構成する通信回線網や放送網などのネットワーク、さらには、データを直接受信するための媒体となる無線媒体自体など、データを送受信させるいずれの構成が利用できる。
【００３６】
ＳＮＳサーバ１００は、クライアント端末２００およびニュースサーバ３００にネットワークを介して接続され、クライアント端末２００に対してＳＮＳを提供し、クライアント端末２００で作成されたＵＧＣを管理する。
ＳＮＳは、コミュニティ型のウェブサイトであり、他のユーザとのコミュニケーションを円滑にする手段や場を提供したり、趣味や嗜好、居住地域、出身校といったつながりを通じて新たな人間関係を構築する場を提供する。
ＵＧＣとしては、クライアント端末２００で作成可能なものであれば特に限定されず、例えば、テキスト入力、写真および画像等をアップロードすることのできるプロフィールや日記のほか、アルバムや動画等も挙げられる。
【００３７】
クライアント端末２００は、ＳＮＳサーバ１００にインターネット２０を介してアクセスし、ＳＮＳを利用してプロフィールや日記などのＵＧＣを作成する。
ニュースサーバ３００は、クライアント端末２００に対してニュースなどの情報提供サイトを配信する。
【００３８】
［ＳＮＳ管理システムの構成の詳細］
図２は、本発明の実施形態にかかるＳＮＳサーバを含むＳＮＳ管理システムの構成の詳細を示すブロック図である。
なお、本実施形態では、ＳＮＳが提供するＵＧＣとしてプロフィールページのコメントと日記ページとを例示して説明する。プロフィールページにはユーザの写真や属性等の情報とともに１つのコメントが入力可能とされ、日記ページには日付ごとの日記が入力可能とされている。
ＳＮＳサーバ１００は、記憶手段および演算処理手段を備えている。また、図示しないが、ウェブページを画面表示として出力させたり印刷出力する出力手段およびキーボード入力やファイル入力等の入力手段なども備えている。
【００３９】
記憶手段としては、ＳＮＳを利用しているユーザの情報を記憶するユーザ情報記憶手段としてのユーザ情報データベース１１０と、クライアント端末２００でプロフィールページに作成されたコメントの情報を記憶するコメント情報記憶手段１２０と、クライアント端末２００で日記ページに作成された日記の情報を記憶する日記情報記憶手段１３０と、カテゴリとそのカテゴリを表すキーワードが関連付けられて記憶されたカテゴリ分類記憶手段としてのカテゴリ分類データベース１４０と、ユーザの友人関係を記憶する友人関係記憶手段としての友人関係データベース１５０を備えている。
【００４０】
ユーザ情報データベース１１０は、例えば、以下の表１に示すように、ユーザごとのニックネーム、性別、生年月日、趣味などが１つのレコードとして記憶されたテーブル構造となっている。なお、ユーザ情報データベース１１０に格納される情報はこれらに限られず、例えば、現住所、出身地、年齢などの情報が格納されていてもよい。
【００４１】
【表１】
2010039845.tif 000003
【００４２】
コメント情報記憶手段１２０には、ＳＮＳのプロフィールページで表示されるコメントに関する情報が記憶され、コメント情報データベース１２１とコメントアクセスログデータベース１２２とを備えている。コメント情報データベース１２１は本発明のユーザ作成コンテンツ記憶手段の一部として機能し、コメントアクセスログデータベース１２２は本発明のアクセスログ記憶手段の一部として機能する。
本実施形態では、ＳＮＳのプロフィールページには１つのコメントが入力可能とされているため、１ユーザに対して１コメントが入力可能である。したがって、コメント情報データベース１２１は、例えば、以下の表２に示すように、ユーザごとのコメント情報、リンク情報、カテゴリなどが１つのレコードとして記憶されたテーブル構造となっている。
コメント情報としてはコメントとして入力された内容が記憶され、リンク情報としてはコメントに貼り付けられたリンク部分のリンク先のアドレスが記憶されているが、この他にもリンク先のウェブページのタイトル情報などが記憶されていてもよい。カテゴリは、リンク部分のリンク先の内容をカテゴリ分類したものであり、後述のカテゴリ判定部１６６により判定される。
なお、リンク情報およびカテゴリは、コメントにリンク部分が存在しない場合は何も設定されない。
また、コメント情報の中に複数のリンク部分を含む場合は、リンク情報ごとのデータが記憶される。
【００４３】
【表２】
2010039845.tif 000004
【００４４】
コメントアクセスログデータベース１２２は、例えば、以下の表３に示すように、ユーザのコメントに対するアクセスごとの閲覧日時と閲覧ユーザＩＤなどが１つのレコードとして記憶されたテーブル構造となっている。本実施形態では、１ユーザに対して表示できるコメントは１つであるため、ユーザごとのレコードとしているが、１ユーザに対して複数のコメントを入力可能であれば、ユーザおよびコメント情報ごとのアクセスログを記憶させるようにすればよい。
プロフィールページのコメントに貼り付けられたリンク部分が選択されるたびにそのアクセスログがコメントアクセスログデータベース１２２に蓄積される。
【００４５】
【表３】
2010039845.tif 000005
【００４６】
日記情報記憶手段１３０は、ＳＮＳの日記ページで表示される日記に関する情報が記憶されている。本実施形態では、１日の日記本文中において、複数のリンク部分を貼り付けることが可能であるため、日記情報記憶手段１３０は、日記データベース１３１とリンク情報データベース１３２と日記アクセスログデータベース１３３とを備えている。なお、日記データベース１３１とリンク情報データベース１３２は本発明のユーザ作成コンテンツ記憶手段の一部として機能し、日記アクセスログデータベース１３３は本発明のアクセスログ記憶手段として機能する。
日記データベース１３１は、例えば、以下の表４に示すように、ユーザおよび日付ごとの日記本文が１つのレコードとして記憶されたテーブル構造となっている。日付および日記本文は、ＳＮＳの日記ページにおいて入力された内容である。日記本文中に示す下線部はリンク部分である。
【００４７】
【表４】
2010039845.tif 000006
【００４８】
リンク情報データベース１３２は、例えば、以下の表５に示すように、上記の日記データベース１３１のユーザＩＤ、日付および日記本文中のリンク部分と関連付けられており、リンク部分ごとのリンク先のアドレスおよびカテゴリが１つのレコードとして記憶されたテーブル構造となっている。リンク先は、リンク部分のリンク先アドレスである。カテゴリは、リンク部分のリンク先の内容をカテゴリ分類したもので、後述のカテゴリ判定部１６６により判定される。
【００４９】
【表５】
2010039845.tif 000007
【００５０】
日記アクセスログデータベース１３３は、例えば、以下の表６に示すように、上記のリンク情報データベース１３２のユーザＩＤおよびリンク部分と関連付けられており、アクセスされたリンク部分ごとの閲覧日時と閲覧ユーザＩＤなどが１つのレコードとして記憶されたテーブル構造となっている。
日記本文中に貼り付けられたリンク部分が選択されるたびにそのアクセスログが日記アクセスログデータベース１３３に蓄積される。
【００５１】
【表６】
2010039845.tif 000008
【００５２】
カテゴリ分類データベース１４０では、カテゴリとカテゴリを表すキーワードが関連付けられて記憶されている。具体的には、以下の表７に示すように、あるカテゴリに分類されるキーワード群が１つのレコードとして記憶されたテーブル構造となっている。使用方法としては、あるキーワードのカテゴリを判定する場合に、カテゴリ分類データベース１４０を検索し、そのキーワードが分類されているカテゴリをそのキーワードのカテゴリとする。
なお、カテゴリ分類データベース１４０は、頻出のキーワードについてのカテゴリは予め登録されており、必要に応じて適宜登録することができる。
【００５３】
【表７】
2010039845.tif 000009
【００５４】
友人関係データベース１５０は、ＵＧＣを作成したユーザと友人関係にある他のユーザ（閲覧者）が記憶されている。具体的には、以下の表８に示すように、ユーザＩＤ、友人ＩＤ、公開レベルが１つのレコードとして記憶されたテーブル構造となっている。友人ＩＤは、ユーザ情報データベース１１０に登録されているユーザＩＤである。公開レベルは、ユーザが作成したＵＧＣをその友人に対してどこまで公開するかを示す指標であり、例えば、Ａ：全て公開、Ｂ：プロフィールのみ公開、Ｃ：日記のみ公開  などを設定することができるが、これに限定されない。
なお、閲覧者がユーザ情報データベース１１０に登録されていない場合は、ユーザの属性に関する情報（名前、性別、年齢など）を登録できるように項目を増やすこともできる。
【００５５】
【表８】
2010039845.tif 000010
【００５６】
一方、演算処理手段としては、クライアント端末２００からのページ要求を受信する要求受信部１６１と、要求されたページを作成するページ作成部１６２と、作成したページをクライアント端末２００に送信するページ送信部１６３と、コメント情報記憶手段１２０に対してデータの書き込みおよび読み出しを行うコメント処理部１６４と、日記情報記憶手段１３０に対してデータの書き込みおよび読み出しを行う日記処理部１６５と、コメント情報記憶手段１２０および日記情報記憶手段１３０に記憶されたリンク部分のリンク先の内容のカテゴリを判定するカテゴリ判定部１６６と、リンク先のウェブページを取得するページ取得部１６７と、コメント情報記憶手段１２０および日記情報記憶手段１３０に記憶されたアクセスログを集計するアクセスログ収集部１６８と、を備えている。
なお、本実施形態では、コメント処理部１６４および日記処理部１６５が本発明のユーザ作成コンテンツ処理手段および転送処理手段として機能し、アクセスログ収集部１６８が本発明の集計処理手段として機能する。また、ページ作成部１６２およびページ送信部１６３は本発明のページ送信手段および集計結果送信手段として機能する。さらに、カテゴリ判定部１６６とページ取得部１６７がカテゴリ判定手段として機能する。
【００５７】
要求受信部１６１は、クライアント端末２００からのページ要求を受信する。
ページ作成部１６２は、クライアント端末２００が要求したページを作成する。ここではプロフィールページ、日記ページ、集計結果ページなどが要求されるがこれらに限定されず、ＳＮＳの仕様に基づいて要求受信部１６１で受信した要求に応じたページが作成される。プロフィールページにはコメント情報記憶手段１２０に記憶されたコメント情報が表示され（図３参照）、日記ページには日記情報記憶手段１３０に記憶された日記情報が表示され（図６参照）、集計結果ページにはコメント情報記憶手段１２０および日記情報記憶手段１３０に記憶されたアクセスログを集計した結果が表示される（図１０、図１１および図１２参照）。集計結果の表示方法としては、特に限定されず、表やグラフなど集計結果に応じた形式で表示することができる。
ページ送信部１６３は、作成されたウェブページをクライアント端末２００に送信する。
【００５８】
コメント処理部１６４は、要求受信部１６１でクライアント端末２００から送信されたコメント情報が受信されると、コメント情報記憶手段１２０のコメント情報データベース１２１にコメント情報を記憶させる。また、クライアント端末２００からプロフィールページが要求された場合には、コメント情報データベース１２１から該当ユーザのコメント情報を取得する。
コメントの全体または一部がリンク情報を有する場合、このリンク情報に集計コードとして、ＳＮＳサーバ１００のＵＲＬを挿入する。具体的には、リンク先のＵＲＬの前に挿入することができる。なお、集計コードが挿入されたリンク情報は、ページ作成部１６２によってプロフィールページに埋め込まれ、クライアント端末２００の入力手段によりリンク部分が選択されると、集計コードのＵＲＬ（ＳＮＳサーバ１００のＵＲＬ）にアクセス要求を送信する。
このとき、要求受信部１６１がこのアクセス要求を受信するたびに、コメント情報記憶手段１２０のコメントアクセスログデータベース１２２にアクセスログを記憶させる。
また、コメント処理部１６４は、リンク情報のリンク先のＵＲＬをクライアント端末２００に送信してリダイレクト処理を行う。
【００５９】
日記処理部１６５は、クライアント端末２００から送信された日記情報を受信すると、日記情報記憶手段１３０の日記データベース１３１とリンク情報データベース１３２に日記情報およびリンク情報を記憶させる。また、クライアント端末２００から日記ページが要求された場合には、日記データベース１３１およびリンク情報データベース１３２から該当ユーザの該当日付の日記情報とリンク情報とを取得する。
日記処理部１６５は、リンク情報には、集計コードとして、ＳＮＳサーバ１００のＵＲＬを挿入する。具体的には、リンク情報の一部であるリンク先のＵＲＬの前に挿入することができる。なお、集計コードが挿入されたリンク情報は、ページ作成部１６２によって日記ページに埋め込まれ、クライアント端末２００の入力手段によりリンク部分が選択されると、クライアント端末２００は、集計コードのＵＲＬ（ＳＮＳサーバ１００のＵＲＬ）にアクセス要求を送信する。
このとき、ＳＮＳサーバ１００の要求受信部１６１がこのアクセス要求を受信するたびに、日記情報記憶手段１３０の日記アクセスログデータベース１３３にアクセスログを記憶させる。
また、日記処理部１６５は、リンク情報のリンク先のＵＲＬをクライアント端末２００に送信してリダイレクト処理を行う。
【００６０】
カテゴリ判定部１６６は、コメント情報記憶手段１２０および日記情報記憶手段１３０に記憶されたリンク部分のリンク先のウェブページのコンテンツを解析して特徴的なキーワードを抽出し、そのキーワードとカテゴリ分類データベース１４０に記憶されているキーワードとを対応付けてカテゴリを判定する。そして、判定したカテゴリをコメント情報記憶手段１２０および日記情報記憶手段１３０の該当するリンク部分のカテゴリとして登録する。
ページ取得部１６７は、カテゴリ判定部１６６からの通知により、リンク先のウェブページを取得する。
【００６１】
アクセスログ収集部１６８は、コメント情報記憶手段１２０および日記情報記憶手段１３０に記憶されたアクセスログを集計する。集計方法としては、閲覧者のアクセス状況が把握できれば特に限定されない。例えば、コメントまたは日記本文中のリンク部分ごとの閲覧者数、クリック率、男女比などを集計してもよいし、１つのカテゴリに対する閲覧者を集計してもよい。
【００６２】
クライアント端末２００は、ＳＮＳサーバ１００およびニュースサーバ３００にネットワークを介して接続され、各種フォーム等を記憶する記憶手段および演算処理手段のほか、受信したウェブページを画面表示として出力させたり印刷出力させる出力手段と、キーボードなどの入力手段などを備えている。クライアント端末２００は、定期的または必要に応じて、ＳＮＳサーバ１００またはニュースサーバ３００にアクセスし、これらからネットワークを介して送出する各種データを送受信する。
【００６３】
演算処理手段は、閲覧したいウェブページをＳＮＳサーバ１００やニュースサーバ３００に要求したり、要求したウェブページをＳＮＳサーバ１００やニュースサーバ３００から受信して出力手段により画面表示させる。また、表示されたウェブページに対して、入力手段によるアクションがあるとそれを検知して、入力内容をＳＮＳサーバ１００やニュースサーバ３００に送信する。
【００６４】
クライアント端末２００としては、インターネットを介してＳＮＳサーバ１００およびニュースサーバ３００に接続可能な機器であればよく、特に限定されないが、例えば、携帯電話やノートパソコンなどが挙げられる。なお、図２においては、１つのクライアント端末２００と１つのニュースサーバ３００とがＳＮＳサーバ１００に接続された構成を例示したが、実際には、複数のクライアント端末２００とニュースサーバ３００を含む複数の情報提供サイトを提供するサーバが接続されているものである。
【００６５】
ニュースサーバ３００は、ＳＮＳサーバ１００およびクライアント端末２００にネットワークを介して接続され、記憶手段および演算処理手段を備えている。ニュースサーバ３００は、定期的または必要に応じて、ＳＮＳサーバ１００またはクライアント端末２００にアクセスし、これらからネットワークを介して送出する各種データを送受信する。
【００６６】
記憶手段としては、クライアント端末に配信するウェブサイト上に掲載するニュースの情報を蓄積するニュースデータベース３１０を備えている。
ニュースデータベース３１０は、例えば、以下の表９に示すように、ウェブページに掲載するニュースごとのタイトル、記事、カテゴリなどが１つのレコードとして記憶されるテーブル構造となっている。カテゴリは、ニュースの内容を分類したものであり、前述のカテゴリ分類データベース１４０で示されたカテゴリと同等の意義をもつ。
【００６７】
【表９】
2010039845.tif 000011
【００６８】
一方、演算処理手段としては、クライアント端末２００からのページ要求を受信するページ要求受信部３５１と、クライアント端末２００が要求したページを作成するページ作成部３５２と、作成されたページをクライアント端末２００に送信するページ送信部３５３と、クライアント端末２００からのＵＧＣ挿入の要求を検知するＵＧＣ挿入要求検知部３５４と、リダイレクト処理部３５５と、を備えている。
【００６９】
ページ要求受信部３５１は、クライアント端末２００からのページ要求を受信する。ここで受信するページ要求の種類としては、ニュースサーバ３００が配信するニュースページを要求する場合と、このニュースページに掲載されている内容をプロフィールページのコメントとして挿入するためのボタンが押された場合（コメント挿入の要求）とがある。
【００７０】
ページ作成部３５２は、ページ要求受信部３５１がニュースページの要求を受信すると、ニュースページを作成する。
ページ送信部３５３は、ページ作成部３５２で作成されたニュースページをクライアント端末２００へ送信する。
【００７１】
ＵＧＣ挿入要求検知部３５４は、ページ要求受信部３５１が受信した要求のうち、コメント挿入の要求を検知する。
リダイレクト処理部３５５は、ＵＧＣ挿入要求検知部３５４がコメント挿入の要求を検知すると、クライアント端末２００に対してリダイレクト処理を行う。
リダイレクト処理とは、アクセスしてきたクライアント端末２００に対して別のサーバにアクセスするための宛先ＵＲＬを送り返す処理である。
したがって、ここでは、リダイレクト処理部３５５は、ＳＮＳサーバ１００が提供するＳＮＳのプロフィールページのＵＲＬをクライアント端末２００に送信することにより、クライアント端末２００は自動的にＳＮＳサーバ１００に対してプロフィールページを要求することになる。
【００７２】
［ＳＮＳ管理システムの動作］
以下、図面に沿ってＳＮＳ管理システム１０の動作を説明する。
ＳＮＳ管理システム１０の動作としては、１．プロフィールページにコメントを挿入する場合、２．日記ページに日記を作成する場合、３．閲覧者がプロフィールページおよび日記ページのリンク部分にアクセスする場合、４．リンク情報のアクセス状況を集計する場合についてそれぞれ説明する。
【００７３】
［１．コメント挿入の動作］
まず、プロフィールページにコメントを挿入する動作について、図２を適宜参照しながら図３、図４および図５に沿って説明する。
図３は本発明の実施形態において出力手段により表示されたプロフィールページの画像を示す第１説明図、図４は本発明の実施形態にかかるＳＮＳ管理システムにおいてプロフィールページにコメントを挿入する動作を示すフローチャート、図５は本発明の実施形態において出力手段により表示されたニュースページの画像を示す第２説明図である。
【００７４】
まず、ユーザは、クライアント端末２００の図示しない入力手段を入力操作し、ＳＮＳサーバ１００にアクセスするために、例えば、ウェブブラウザを起動させてアドレスを入力する。このアドレスの入力により、クライアント端末２００はページＳＮＳサーバ１００に対してＳＮＳページを要求する。
【００７５】
このとき、ログイン画面をウィンドウ表示してユーザＩＤおよびパスワードを入力することでログインする。また、ユーザが登録されていない場合には、新規登録用のウェブページを表示させ、希望するユーザＩＤなどの所定事項を入力してＳＮＳサーバ１００に送信することでユーザ情報データベース１１０への登録を受けることができる。ユーザＩＤの新規登録に際して記入する所定事項としては、希望するユーザＩＤ、パスワード、ニックネーム、性別、趣味などが挙げられるが、これに限定されず、必要に応じて任意に設定することができる（表１参照）。
【００７６】
ＳＮＳサーバ１００は、このＳＮＳページの要求を要求受信部１６１で受信すると、ページ作成部１６２でＳＮＳのトップページを作成し、ページ送信部１６３からクライアント端末２００へ送信する。
クライアント端末２００は、トップページを受信すると、図示しない出力手段によりトップページを画面表示する。
トップページには、ＳＮＳに登録した該ユーザの情報が記載されており、プロフィールページ、日記ページおよびその他のページへのアクセスが可能とされている。
【００７７】
プロフィールページとしては、例えば、図３に示すプロフィールページ５００がクライアント端末２００の出力手段により画面表示される。プロフィールページ５００には、ログインユーザの写真を表示する写真欄５１０、ログインユーザの属性（性別、血液型、年齢、誕生日など）を表示する属性表示欄５２０、コメントを表示するコメント欄５３０およびログインユーザと友人関係にある（友人関係データベース１５０に登録されている）友人情報を表示する友人欄５４０が表示され、「お友達の興味」と表示された集計ボタン５５０が設けられる。なおプロフィールページ５００に表示される項目はこれらに限定されず、公開したい内容に応じて適宜表示することができる。
本実施形態では、友人関係データベース１５０とユーザ情報データベース１１０とを関連付け、該当する友人の属性情報をユーザ情報データベース１１０から取得して友人欄５４０に表示する。
【００７８】
ここで説明する動作は、コメント欄５３０にコメントを挿入する場合の動作である。コメント欄５３０には、クライアント端末２００の入力手段により直接テキスト入力することも可能であるが、ここでは、ニュースサーバ３００が提供するニュースページに掲載された内容をコメント欄５３０に挿入する動作について説明する。
以下、ユーザがＳＮＳにログインした状態における、ＳＮＳサーバ１００、クライアント端末２００およびニュースサーバ３００の動作を説明する。
【００７９】
クライアント端末２００は、入力手段を用いてニュースサーバ３００へアクセスし、ニュースページを要求する。
ニュースサーバ３００は、ステップＳ１において、ページ要求受信部３５１がページ要求を受信すると、ページ作成部３５２が要求されたニュースページを作成し、ページ送信部３５３によりクライアント端末２００に送信する。
クライアント端末２００は、ステップＳ２において、ニュースページを受信すると、例えば、図５に示すようなニュースページ６００を出力手段により画像表示してステップＳ３へ進む。
【００８０】
ニュースページ６００には、ニュースのタイトルと記事内容が掲載され、「コメントへ追加」と表示された追加ボタン６１０が設けられている。追加ボタン６１０は、ニュースページ６００に掲載された内容を、ＳＮＳサーバ１００が提供するプロフィールページ５００のコメント欄５３０に挿入するための処理を行うものである。
クライアント端末２００の入力手段により追加ボタン６１０が選択されると、ステップＳ３において、クライアント端末２００の演算処理手段は追加ボタン６１０が選択されたことを検知してステップＳ４へ進む。
ステップＳ４では、クライアント端末２００は、ニュースサーバ３００に対してＳＮＳのプロフィールページ５００を要求する。
【００８１】
ニュースサーバ３００は、ページ要求受信部３５１で要求を受信すると、ＵＧＣ挿入要求検知部３５４により、その要求が追加ボタン６１０を選択したことによるものであることを検知する。
そして、ステップＳ５において、リダイレクト処理部３５５は、クライアント端末２００およびＳＮＳサーバ１００に対してリダイレクト処理を行う。具体的には、クライアント端末２００に対してＳＮＳサーバ１００にアクセスするための宛先ＵＲＬを送り返す。
このとき、ニュースページ６００の内容をプロフィールページ５００のコメントとして挿入するため、コメントとして表示する内容およびＵＲＬを入力可能なウィンドウを表示してもよい。このウィンドウで設定されたコメント情報（タイトル、ＵＲＬ）もクライアント端末２００へ送信される。
【００８２】
クライアント端末２００は、ステップＳ６において、宛先ＵＲＬとコメント情報を受信し、ステップＳ７へ進む。
ステップＳ７では、受信した宛先ＵＲＬに基づいてＳＮＳサーバ１００へアクセスし、プロフィールページ５００を要求するとともにニュースサーバ３００から受信したコメント情報を送信する。
【００８３】
ＳＮＳサーバ１００は、要求受信部１６１でプロフィールページ５００の要求を受信すると、ステップＳ８において、コメント処理部１６４が、受信したコメント情報をコメント情報記憶手段１２０に記憶させる。
【００８４】
このとき、ステップＳ９において、ページ取得部１６７は受信したコメント情報に含まれるＵＲＬ（ニュースページ６００）を提供するニュースサーバ３００にアクセスしてそのニュースページ６００のコンテンツを取得する。そして、カテゴリ判定部１６６は取得したコンテンツを解析してニュースページ６００の内容を特徴付けるキーワードを抽出し、抽出したキーワードとカテゴリ分類データベース１４０に記憶されているキーワードとを対応付けて、受信したコメント情報のカテゴリを判定する。
また、ニュースサーバ３００には、ニュースページ６００に掲載された内容とその内容が分類されるカテゴリがニュースデータベース３１０に格納されているので、ニュースデータベース３１０の該ニュースのカテゴリを取得して、そのカテゴリを受信したコメント情報のカテゴリとすることもできる。
判定したカテゴリは、コメント処理部１６４によりコメント情報記憶手段１２０に記憶される。
【００８５】
また、コメント処理部１６４は、コメント情報にリンク部分が含まれる場合は、このリンク部分に集計コードとしてＳＮＳサーバ１００のＵＲＬを挿入する。
【００８６】
そして、ステップＳ１０において、ページ作成部１６２は受信したコメント情報をコメント欄５３０に挿入したプロフィールページ５００を作成し、ページ送信部１６３によりクライアント端末２００へ送信する。
クライアント端末２００は、ステップＳ１１において、プロフィールページ５００を受信し、出力手段により図３に示すようなプロフィールページ５００を画面表示する。ここで、コメント欄５３０に表示されたコメントにはリンク部分が貼り付けられており、リンク部分は、集計コードであるＳＮＳサーバ１００のＵＲＬとニュースサーバ３００が配信するニュースページ６００のＵＲＬが含まれている。そして、リンク部分を選択することによって、ＳＮＳサーバ１００およびニュースサーバ３００にアクセスしてニュースページ６００を閲覧することができる。
【００８７】
［２．日記作成の動作］
次に、日記ページに日記を作成する動作について、図２を適宜参照しながら図６および図７に沿って説明する。
図６は本発明の実施形態において出力手段により表示された日記ページの画像を示す第３説明図である。図７は前記実施形態にかかるＳＮＳ管理システムにおいて日記を作成する動作を示すフローチャートである。
【００８８】
ユーザは、クライアント端末２００の出力手段に表示されたＳＮＳのトップページからＳＮＳサーバ１００に対して日記ページを要求する。
ＳＮＳサーバ１００は、ステップＳ２１において、要求受信部１６１が日記ページの要求を受信すると、ページ作成部１６２が日記ページを作成し、ページ送信部１６３によりクライアント端末２００へ送信する。
【００８９】
クライアント端末２００は、日記ページを受信すると、例えば図６に示すような日記ページ７００を出力手段により画像表示する。
そして、ステップＳ２２において、日記ページ上に日記を作成する。日記ページ７００は、ユーザの簡単なプロフィール（ニックネーム、写真、趣味など）欄とともに、日記作成欄７１０が設けられている。ユーザは、入力手段を用いて日記作成欄７１０に日記を作成する。このとき、日記本文中にリンクを貼りたい場合は、例えば、リンク部分とそのリンク先を入力可能なダイアログを表示させ、リンク部分とリンク先の情報を入力させる方法がある。日記本文中に貼り付けられたリンク部分は、図６に示すように下線付きで表示される。
そして、ステップＳ２３において、日記ページ７００に設けられた図示しない作成ボタンなどを選択することにより作成した日記情報をＳＮＳサーバ１００に対して送信する。
【００９０】
ＳＮＳサーバ１００は、要求受信部１６１で日記情報を受信すると、ステップＳ２４において、日記処理部１６５が受信した日記情報を日記情報記憶手段１３０に記憶させる。
このとき、ステップＳ２５において、日記処理部１６５は、受信した日記情報の日記本文中に挿入された複数のリンク部分とそのリンク先を取得してステップＳ２６へ進む。
【００９１】
ステップＳ２６では、ページ取得部１６７が受信した日記情報の各リンク部分のリンク先であるＵＲＬ（例えば、情報提供サイトのアドレス）を提供する情報提供サーバにアクセスし、そのウェブページのコンテンツを取得する。そして、カテゴリ判定部１６６は取得したコンテンツを解析してウェブページの内容を特徴付けるキーワードを抽出し、抽出したキーワードとカテゴリ分類データベース１４０に記憶されているキーワードとを対応付けて、各リンク部分のカテゴリを判定する。
また、前述のニュースサーバ３００と同様に、情報提供サーバにおいて、ウェブページに掲載された内容とその内容が分類されるカテゴリがデータベースに格納されている場合は、データベースに記憶されている該コンテンツのカテゴリを取得して、そのカテゴリを日記本文中に貼り付けられた各リンク部分のカテゴリとすることもできる。
判定したカテゴリは、日記処理部１６５により、日記情報記憶手段１３０のリンク情報データベース１３２に記憶される。
【００９２】
また、日記処理部１６５は、日記情報にリンク部分が含まれる場合は、このリンク部分に集計コードとしてＳＮＳサーバ１００のＵＲＬを挿入する。
以上の動作により日記情報は日記記憶手段１３０に記憶され、ページ作成部１６２は集計コードの挿入されたリンク部分が埋め込まれた日記ページを作成し、作成した日記ページをＳＮＳサーバ１００からクライアント端末２００に対して送信する。
【００９３】
［３．閲覧の動作］
次に、上記のように、ユーザが作成したプロフィールページ５００および日記ページ７００を別のユーザが閲覧する際の動作について、図２を適宜参照しながら図８に沿って説明する。
図８は本発明の実施形態におけるＵＧＣを閲覧する動作を示すフローチャートである。
【００９４】
この動作は、ユーザが作成したプロフィールページ５００または日記ページ７００に別のユーザである閲覧者が訪問した場合の動作である。ユーザおよび閲覧者は互いの友人関係データベース１５０に登録されており、ユーザおよび閲覧者のプロフィールページまたは日記ページに互いにアクセス可能とされている。なお、ここで説明するクライアント端末２００は閲覧者が操作するものである。
閲覧者は、クライアント端末２００の図示しない入力手段を入力操作し、ＳＮＳサーバ１００にアクセスするために、例えば、ウェブブラウザを起動させてアドレスを入力する。このアドレスの入力により、クライアント端末２００はＳＮＳサーバ１００に対してＳＮＳページを要求する。このとき、ログイン画面をウィンドウ表示してユーザＩＤおよびパスワードを入力することでログインする。
【００９５】
そして、クライアント端末２００は、ステップＳ３１において、ユーザのプロフィールページの表示の有無を判断する。閲覧者の入力操作により、ユーザが作成するプロフィールページにアクセスする場合はＹｅｓとなりステップＳ３２へ進む。アクセスしない場合はＮｏとなりステップＳ４０へ進む。
ステップＳ３２では、クライアント端末２００はＳＮＳサーバ１００に対してユーザのプロフィールページを要求する。
【００９６】
ＳＮＳサーバ１００は、要求受信部１６１でプロフィールページの要求を受信すると、ステップＳ３３において、コメント処理部１６４が該ユーザのコメント情報をコメント情報記憶手段１２０から取得し、取得したコメント情報にリンク部分が含まれる場合はリンク部分に集計コードとしてＳＮＳサーバ１００のＵＲＬを挿入する。また、ページ作成部１６２は、該ユーザのユーザ情報をユーザ情報データベース１１０から取得し、取得したユーザ情報とコメント情報に基づいてプロフィールページを作成する。ここでプロフィールページ５００のコメント欄５３０に表示されるコメントは、「メタボリックシンドロームの原因は肥満でなく過食」であり、リンク先はニュースサーバ３００が配信するニュースページ６００である。そして、作成されたページは、ページ送信部１６３によりクライアント端末２００へ送信される。
クライアント端末２００は、ステップＳ３４において、プロフィールページを受信して出力手段により画面表示してステップＳ３５へ進む。
【００９７】
ステップＳ３５は、プロフィールページ５００のコメント欄５３０に表示されたコメント（リンク部分）の選択の有無を判断する。コメントが選択されるとＹｅｓとなりステップＳ３６へ進む。コメントがクリックされない場合はＮｏとなり待機状態となる。
ステップＳ３６では、選択したコメントに埋め込まれた集計コード（ＳＮＳサーバ１００のＵＲＬ）に基づいてＳＮＳサーバ１００にアクセス要求を送信する。
【００９８】
ＳＮＳサーバ１００は、ステップＳ３７において、要求受信部１６１がアクセス要求を受信すると、コメント処理部１６４が該コメントに対するアクセスログをコメントアクセスログデータベース１２２に格納してステップＳ３８へ進む。
ステップＳ３８では、コメント処理部１６４がページ送信部１６３を介してニュースサーバ３００へのリダイレクト処理を行う。
クライアント端末２００は、ステップＳ３９において、ＳＮＳサーバ１００のリダイレクト処理によりニュースサーバ３００から配信されるニュースページを受信し、出力手段によりニュースページ６００を画面表示する。
以上の動作により、閲覧者は、ユーザがプロフィールページ５００に挿入したコメントのリンク先のニュースページ６００を閲覧することができる。
【００９９】
次に、クライアント端末２００は、ステップＳ４０において、ユーザの日記ページの表示の有無を判断する。閲覧者の入力操作により、日記ページを表示する場合はＹｅｓとなりステップＳ４１へ進む。表示しない場合はＮｏとなり待機状態となる。
ステップＳ４１では、クライアント端末２００はＳＮＳサーバ１００に対して該ユーザの日記ページを要求する。
ＳＮＳサーバ１００は、要求受信部１６１で日記ページの要求を受信すると、ステップＳ４２において、日記処理部１６５が該ユーザの日記情報を日記情報記憶手段１３０から取得し、取得した日記情報にリンク部分が含まれる場合はリンク部分に集計コードとしてＳＮＳサーバ１００のＵＲＬを挿入する。そして、ページ作成部１６２は、この日記情報に基づいて日記ページを作成する。作成された日記ページは、ページ送信部１６３によりクライアント端末２００へ送信される。
クライアント端末２００は、ステップＳ４３において、日記ページを受信して出力手段により日記ページ７００を画面表示してステップＳ４４へ進む。なお、ここで表示される日記ページ７００には、図６に示すように、１つの日記本文中に複数のリンク部分が存在している。
【０１００】
ステップＳ４４では、日記本文中に貼り付けられたリンク部分の選択の有無を判断する。いずれかのリンク部分が選択された場合はＹｅｓとなりステップＳ４５へ進む。リンク部分が選択されない場合はＮｏとなる待機状態となる。
ステップＳ４５では、選択したリンク部分に埋め込まれた集計コード（ＳＮＳサーバ１００のＵＲＬ）に基づいてＳＮＳサーバ１００にアクセス要求を送信する。
【０１０１】
ＳＮＳサーバ１００は、ステップＳ４６において、要求受信部１６１がリンク部分のリンク先のページ要求を受信すると、日記処理部１６５が該リンク部分におけるアクセスログを日記アクセスログデータベース１３３に格納してステップＳ４７へ進む。
ステップＳ４７では、日記処理部１６５がページ送信部１６３を介して、該リンク部分のリンク先のページを配信する図示しない情報提供サーバへのリダイレクト処理を行う。
クライアント端末２００は、ステップＳ４８において、ＳＮＳサーバ１００のリダイレクト処理により情報提供サーバから送信されるウェブページを受信し、受信したウェブページを出力手段により画面表示する。
以上の動作により、閲覧者は、ユーザが日記本文中に貼ったリンク部分のリンク先のウェブページを閲覧することができる。
【０１０２】
［４．集計処理の動作］
次に、集計を行う際の動作について、図２を適宜参照しながら図９、図１０および図１１に沿って説明する。
図９は本発明の実施形態における集計結果ページを表示する動作を示すフローチャートである。図１０は本発明の実施形態において出力手段により表示された集計結果ページの画像を示す第４説明図である。図１１は本発明の実施形態において出力手段により表示された集計結果ページの画像を示す第５説明図である。
【０１０３】
この動作は、ユーザが作成したプロフィールページまたは日記ページに貼り付けられたリンク部分に対するアクセスのアクセスログを集計し、集計結果ページとしてクライアント端末に送信する動作である。
ユーザは、ＳＮＳへログインした状態で、ステップＳ５１において、例えばプロフィールページ５００に設けられた「お友達の興味」と表示された集計ボタン５５０を入力手段により選択することでＳＮＳサーバ１００に対して集計結果ページを要求する。
【０１０４】
ＳＮＳサーバ１００は、ステップＳ５２において、要求受信部１６１が集計結果ページの要求を受信すると、アクセスログ収集部１６８は、コメント情報記憶手段１２０のコメントアクセスログデータベース１２２および日記情報記憶手段１３０の日記アクセスログデータベース１３３からそれぞれ該ユーザに対するアクセスログを抽出してステップＳ５３へ進む。
ステップＳ５３では、アクセスログ収集部１６８がプロフィールページのコメントまたは日記本文中に貼り付けられたリンク部分ごとの閲覧人数、クリック率、男女比等を集計し、ステップＳ５４へ進む。
ステップＳ５４では、ページ作成部１６２が集計結果に基づいて集計結果ページを作成し、ページ送信部１６３により集計結果ページがクライアント端末２００へ送信される。集計結果の表示方法としては、表、グラフ等が挙げられる。
【０１０５】
クライアント端末２００は、ステップＳ５５において、受信した集計結果ページを出力手段により画面表示する。図１０に示すように、集計結果ページにはプロフィールページのコメント欄に表示されたコメント（リンク部分）または日記本文中に貼り付けられたリンク部分がコンテンツとして表示され、このコンテンツごとの閲覧人数、クリック率および男女比率が表示される。なお、表示された各コンテンツまたは各カテゴリは選択可能とされている。
【０１０６】
次に、クライアント端末２００は、ステップＳ５６において、表示された集計結果ページの各コンテンツまたは各カテゴリに対する選択の有無を判断する。各コンテンツまたは各カテゴリが選択された場合はＹｅｓとなりステップＳ５７へ進む。選択されない場合はＮｏとなり待機状態となる。
ステップＳ５７では、選択した項目（コンテンツ、カテゴリ）に関するより詳細な集計結果を表示する詳細ページをＳＮＳサーバ１００に対して要求する。
【０１０７】
ＳＮＳサーバ１００は、ステップＳ５８において、選択された項目についてのアクセスログを、再度コメント情報記憶手段１２０および日記情報記憶手段１３０からそれぞれ抽出してステップＳ５９へ進む。
ステップＳ５９では、取得したアクセスログに基づいて、ページ作成部１６２が選択された項目に対する閲覧者のリストを表示した詳細ページを作成し、ページ送信部１６３が詳細ページをクライアント端末２００へ送信する。
クライアント端末２００は、ステップＳ６０において、受信した詳細ページを出力手段により画面表示する。詳細ページは、図１１に示すように、ステップＳ５６において選択された項目に対する閲覧者のリストが表示される。これ以外にも、図１２に示すように、カテゴリごとのアクセス状況をグラフ化して表示してもよい。
【０１０８】
［実施形態の作用効果］
本実施形態では、以下に示す作用効果を奏することができる。
ＳＮＳサーバ１００が提供するＳＮＳにおいて、ユーザが作成したプロフィールページ５００のコメント（リンク部分）、または日記ページ７００の日記本文中に張られたリンク部分が、閲覧者によって選択されるたびに、コメント処理部１６４および日記処理部１６５が各リンク部分に対するアクセスログをコメント情報記憶手段１２０および日記情報記憶手段１３０にそれぞれ記憶させる。そして、そのアクセスログに基づいて、プロフィールページ５００のコメントまたは日記ページ７００の日記本文中に貼り付けられたリンク部分に対するアクセス状況を集計して集計結果ページとしてクライアント端末２００に送信する。
【０１０９】
したがって、プロフィールページ５００および日記ページ７００を作成するユーザは、これらの集計結果から閲覧者の興味や嗜好を把握することができ、プロフィールページ５００および日記ページ７００を作成する際の指標とすることができる。すなわち、作成者であるユーザは、他のユーザ（閲覧者）に閲覧してもらえるようなプロフィールページ５００および日記ページ７００を作成することができるのでモチベーションが向上し、プロフィールページ５００および日記ページ７００の更新頻度が高まり、ＳＮＳとして提供されるウェブサイトの活性化を図ることができる。
【０１１０】
また、本実施形態では、友人関係データベース１５０に登録されているユーザに限ってＵＧＣを公開しているので、アクセスした閲覧者の属性や趣味などに応じて集計することができ、より詳細な集計結果を得ることができる。
したがって、ＵＧＣの作成者であるユーザは、友人の嗜好を調査することができ、ＵＧＣ作成の指標とすることができる。
【０１１１】
さらに、本実施形態では、プロフィールページ５００のコメントおよび日記ページ７００の日記本文中に貼り付けられたリンク部分を、そのリンク先のコンテンツに応じてそれぞれカテゴリ分類して登録することとした。
したがって、アクセスログ収集部１６８はカテゴリごとに集計することができるので、アクセス状況を把握しやすい集計結果を得ることができる。また、カテゴリで分類されていることにより容易にグラフ化することができ、さらに把握しやすい集計結果を得ることができる。
【０１１２】
本実施形態では、ニュースサーバ３００から配信されるニュースページ６００に設けられた追加ボタン６１０をクリックすると、リダイレクト処理によってＳＮＳサーバ１００が提供するプロフィールページ５００のコメント欄５３０にそのコメントが反映される。
したがって、作成者は、簡単にリンクの貼られたコメントをプロフィールページ５００に挿入または更新することができる。また、ニュースページ６００の閲覧中でも簡単にコメントを挿入または更新することができるので、利便性が高い。
【０１１３】
［変形例］
なお、本発明は、上述した実施形態に限定されるものではなく、本発明の目的を達成できる範囲で、例えば、以下に示される変形をも含むものである。
【０１１４】
上述の実施形態では、ＵＧＣ管理システムとして、ソーシャルネットワーキングサービス（ＳＮＳ）を提供するＳＮＳシステムを例示したが、ＵＧＣを提供するサービスであればこれに限られない。例えば、図１に示したブログサーバ４００が提供するブログサービスなどにも適用することができる。すなわち、ユーザはクライアント端末においてＵＧＣであるブログを作成し、ブログサーバ４００は、ブログ内に貼り付けられたリンク部分に対するアクセスをアクセスログとして記憶し、前述と同様に集計結果ページとしてクライアント端末に送信することができる。したがって、ユーザはブログに対するアクセス状況を把握することができるので、ブログ作成時の指標とすることができる。
【０１１５】
また、上述の実施形態では、コメント欄５３０に表示されるコメント全体をリンクさせたが、コメントの一部のみがリンクされたものであってもよい。
【０１１６】
さらに、コメント情報記憶手段１２０および日記情報記憶手段１３０は、複数のデータベースで構成したが、データベースの構成は前述したものに限られない。コメント情報記憶手段１２０は、１つのコメントに対して複数のアクセスログが記憶できればよいので、１つのデータベースで構成してもよい。また、日記情報記憶手段１３０は１つの日記に対して複数のリンク情報およびリンク情報に対する複数のアクセスログが記憶できればよいので１つのデータベースで構成してもよい。
【０１１７】
そして、上記実施形態では、ページ作成部１６２がページを作成する前に、コメント処理部１６４または日記処理部１６５がリンク部分に集計コードを挿入しているが、集計コードを挿入するタイミングはこれに限られない。例えば、コメント情報をコメント情報記憶手段１２０に記憶させる際に、リンク情報に集計コードを挿入した状態で記憶させることとしてもよい。日記情報についても同様である。
【０１１８】
また、リンク情報にリンク先のウェブページのタイトル情報を含まれている場合は、タイトル情報ごとに集計をしてもよい。これにより、アクセスの傾向を把握しやすい集計結果を得ることができる。
【産業上の利用可能性】
【０１１９】
本発明は、ネットワークを介して接続されたクライアント端末にＵＧＣ（Ｕｓｅｒ−Ｇｅｎｅｒａｔｅｄ  Ｃｏｎｔｅｎｔ）サービスを提供するＵＧＣ管理装置およびＵＧＣ管理システムとして利用できる。
【図面の簡単な説明】
【０１２０】
【図１】本発明の実施形態にかかるＳＮＳサーバを含むＳＮＳ管理システムの構成の概略を示す図。
【図２】本発明の実施形態にかかるＳＮＳサーバを含むＳＮＳ管理システムの構成の詳細を示すブロック図。
【図３】前記実施形態において出力手段により表示されたプロフィールページの画像を示す第１説明図。
【図４】前記実施形態にかかるＳＮＳ管理システムにおいてプロフィールページにコメントを挿入する動作を示すフローチャート。
【図５】前記実施形態において出力手段により表示されたニュースページの画像を示す第２説明図。
【図６】前記実施形態において出力手段により表示された日記ページの画像を示す第３説明図。
【図７】前記実施形態にかかるＳＮＳ管理システムにおいて日記を作成する動作を示すフローチャート。
【図８】前記実施形態におけるＵＧＣを閲覧する動作を示すフローチャート。
【図９】前記実施形態における集計ページを表示する動作を示すフローチャート。
【図１０】前記実施形態において出力手段により表示された集計結果ページの画像を示す第４説明図。
【図１１】前記実施形態において出力手段により表示された集計結果ページの画像を示す第５説明図。
【図１２】前記実施形態において出力手段により表示された集計結果ページの画像を示す第６説明図。
【符号の説明】
【０１２１】
１０      ＳＮＳ管理システム
２０      インターネット
１００      ＳＮＳサーバ
１１０      ユーザ情報データベース
１２０      コメント情報記憶手段
１３０      日記情報記憶手段
１４０      カテゴリ分類データベース
１５０      友人関係データベース
１６４      コメント処理部
１６５      日記処理部
１６６      カテゴリ判定部
１６８      アクセスログ収集部
２００      クライアント端末
３００      ニュースサーバ
３５４      ＵＧＣ挿入検知部
３５５      リダイレクト処理部
【図１】
2010039845.tif 000012
【図２】
2010039845.tif 000013
【図３】
2010039845.tif 000014
【図４】
2010039845.tif 000015
【図５】
2010039845.tif 000016
【図６】
2010039845.tif 000017
【図７】
2010039845.tif 000018
【図８】
2010039845.tif 000019
【図９】
2010039845.tif 000020
【図１０】
2010039845.tif 000021
【図１１】
2010039845.tif 000022
【図１２】
2010039845.tif 000023